【事件の表示】
　特許第３０９７４９４号「インクジェットプリンタ」の請求項１乃至６に係る特許に対する特許異議の申立てについて、次のとおり決定する。
【結　論】
　訂正を認める。
　特許第３０９７４９４号の請求項１乃至６に係る特許を維持する。
【理　由】
１．手続の経緯
　本件特許第３０９７４９４の請求項１乃至６に係る発明についての出願は、平成７年５月１１日の出願であって、平成１２年８月１１日にその特許権の設定の登録がなされ、斉藤茂より特許異議の申し立てがなされ、取消理由通知がなされ、その指定期間内である平成１３年１０月１９日に訂正請求がなされたものである。
２．訂正の適否についての判断
（１）訂正の内容
ア．訂正事項ａ
　特許請求の範囲の
「【請求項１】　プリンタ制御部によってプリンタ機構部の動作を制御するようにしたインクジェットプリンタにおいて、
　商用電源を１次側とし、プリンタ制御部及びプリンタ機構部を２次側とする変圧器と、
　前記１次側に配置される交流生成用スイッチングトランジスタと、
　前記２次側に配置されるＯＮ状態とＯＦＦ状態の少なくとも２つの状態をとる外部操作スイッチと、
　前記外部操作スイッチがＯＦＦ状態になってから所定時間後に信号を出力する遅延回路と、
　前記遅延回路の出力信号に基づいて前記交流生成用スイッチングトランジスタを非スイッチング状態にする供給電力制御部と、
を有し、前記外部操作スイッチがＯＦＦ状態にされると、前記プリンタ制御部は所定の後処理を行ない、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止するインクジェットプリンタ。
【請求項２】　前記後処理が終わると動作する給電停止用スイッチング素子をさらに有し、
　前記外部操作スイッチがＯＦＦ状態にされると、　前記プリンタ制御部は前記後処理を行ない、前記遅延回路の出力信号に先んじて前記給電停止用スイッチング素子の信号が出力された場合、前記供給電力制御部は該給電停止用スイッチング素子の出力信号に基づいて前記交流生成用スイッチングトランジスタを非スイッチング状態にすることを特徴とする請求項１記載のインクジェットプリンタ。
【請求項３】　前記供給電力制御部は、遅延回路の出力信号または給電停止用スイッチング素子の出力信号に基づいて発光する発光素子と、その発光素子からの光を受光して信号を出力する受光素子とを含むフォトカプラを有しており、
　その受光素子の出力信号に基づいて前記交流生成用スイッチングトランジスタを非スイッチング状態にする請求項１または請求項２に記載のインクジェットプリンタ。
【請求項４】　前記所定の後処理とは、プリンタ機構部の印字ヘッドの性能を恒常的に保つための一連の動作を含むものである請求項１乃至請求項３のいずれか１つに記載のインクジェットプリンタ。
【請求項５】　商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチとを有し、前記２次側に配置されるプリンタ制御部によってプリンタ機構部の動作を制御するようにしたインクジェットプリンタにおける制御方法であって、
　前記外部操作スイッチがＯＦＦ状態にされたのを検出する工程と、
　前記外部操作スイッチがＯＦＦ状態になってから前記プリンタ制御部が所定の後処理を行なう工程と、
　前記プリンタ制御部による所定の後処理の後、前記外部操作スイッチがＯＦＦ状態になってから所定時間後に遅延信号を出力する工程と、
　前記遅延信号の出力に基づいて前記交流生成用スイッチングトランジスタを非スイッチング状態にすることでプリンタ制御部及びプリンタ機構部の少なくとも一方への電力供給を停止する工程と、
を有するインクジェットプリンタの制御方法。
【請求項６】　前記インクジェットプリンタは、前記後処理が終わると動作する給電停止用スイッチング素子をさらに有し、
　前記遅延信号の出力に先んじて前記給電停止用スイッチング素子の信号が出力された場合、前記給電停止用スイッチング素子の出力信号に基づいて前記交流生成用スイッチングトランジスタを非スイッチング状態にすることでプリンタ制御部及びプリンタ機構部の少なくとも一方への電力供給を停止する工程をさらに含むことを特徴とする請求項５記載のインクジェットプリンタの制御方法。」
という記載を、
「【請求項１】　プリンタ制御部によってプリンタ機構部の動作を制御するようにしたインクジェットプリンタにおいて、
　商用電源を１次側とし、プリンタ制御部及びプリンタ機構部を２次側とする変圧器と、
　前記１次側に配置される交流生成用スイッチングトランジスタと、
　前記２次側に配置されるＯＮ状態とＯＦＦ状態の少なくとも２つの状態をとる外部操作スイッチと、
　前記外部操作スイッチがＯＦＦ状態になってから所定時間後に信号を出力する遅延回路と、
　前記遅延回路の出力信号に基づいて前記交流生成用スイッチングトランジスタを非スイッチング状態にする供給電力制御部と、
を有し、前記外部操作スイッチがＯＦＦ状態にされると、前記プリンタ制御部は所定の後処理を行ない、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止
し、更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にする
【請求項２】　前記後処理が終わると
前記給電停止信号を出力する
【請求項３】　前記供給電力制御部は、
　遅延回路の出力信号または
給電停止用スイッチング素子の出力信号
　その受光素子の出力信号に基づいて前記交流生成用スイッチングトランジスタを非スイッチング状態にする請求項１に記載のインクジェットプリンタ。
【請求項４】　前記所定の後処理とは、プリンタ機構部の印字ヘッドの性能を恒常的に保つための一連の動作を含むものである請求項１乃至請求項３のいずれか１つに記載のインクジェットプリンタ。
【請求項５】　商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチとを有し、前記２次側に配置されるプリンタ制御部によってプリンタ機構部の動作を制御するようにしたインクジェットプリンタにおける制御方法であって、
　前記外部操作スイッチがＯＦＦ状態にされたのを検出する工程と、
　前記外部操作スイッチがＯＦＦ状態になってから前記プリンタ制御部が所定の後処理を行なう工程と、
　前記プリンタ制御部による所定の後処理の後、前記外部操作スイッチがＯＦＦ状態になってから所定時間後に遅延信号を出力する工程と、
　前記後処理が終わると給電停止信号を出力する工程と、
前記遅延信号の出力に先んじて前記給電停止信号が出力された場合、前記給電停止信号に基づいて前記交流生成用スイッチングトランジスタを非スイッチング状態にする工程と
【請求項６】　前記インクジェットプリンタは、前記後処理が終わると
前記給電停止信号を出力する
と訂正する（訂正個所にアンダーラインを付した。以下、同じ）。
イ．訂正事項ｂ    
　明細書の段落番号【０００８】の
「【課題を解決するための手段】
　上記の目的を達成するため、本発明にかかるインクジェットプリンタは、プリンタ制御部によってプリンタ機構部の動作を制御するようにしたインクジェットプリンタにおいて、商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチと、前記外部操作スイッチがＯＦＦ状態になってから所定時間後に信号を出力する遅延回路と、前記遅延回路の出力信号に基づいて前記交流生成用スイッチングトランジスタを非スイッチング状態にする供給電力制御部とを有し、前記外部操作スイッチがＯＦＦ状態にされると、前記プリンタ制御部は所定の後処理を行ない、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止する。」
という記載を、
「【課題を解決するための手段】
　上記の目的を達成するため、本発明にかかるインクジェットプリンタは、プリンタ制御部によってプリンタ機構部の動作を制御するようにしたインクジェットプリンタにおいて、商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチと、前記外部操作スイッチがＯＦＦ状態になってから所定時間後に信号を出力する遅延回路と、前記遅延回路の出力信号に基づいて前記交流生成用スイッチングトランジスタを非スイッチング状態にする供給電力制御部とを有し、前記外部操作スイッチがＯＦＦ状態にされると、前記プリンタ制御部は所定の後処理を行ない、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止
し、更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にする。
と訂正する。
ウ．訂正事項ｃ
　明細書の段落番号【００１３】の
「第２は次の構成である。プリンタ制御部による後処理動作の完了後にスイッチング動作する給電停止用スイッチング素子を設ける。そしてこのスイッチング素子のスイッチング動作に基づいて上記交流生成用スイッチングトランジスタを非スイッチング状態にセットする。」
という記載を、
「第２は次の構成である。プリンタ制御部による後処理動作の完了後に
給電停止信号を出力し、その給電停止信号に基づいて
と訂正する。
（２）訂正の目的の適否、新規事項の有無及び拡張・変更の存否
　上記訂正事項ａは、登録時の請求項１に、登録時の請求項２に記載された内容のうち給電停止用スイッチング素子を有することを除いた内容を付加して、新請求項１とし、これを引用する新請求項２を給電停止用スイッチング素子を有するとし、登録時の請求項２の内容と同じにし、新請求項１を引用する新請求項３及び新請求項１乃至３を択一的に引用する新請求項４は、それぞれ、登録時の請求項３及び請求項４に、上記新請求項１に付加された内容を付加すると共に、登録時の請求項５に、登録時の請求項６に記載された内容のうち給電停止用スイッチング素子を有することを除いた内容を付加して、新請求項５とし、これを引用する新請求項６を、給電停止用スイッチング素子を有するとし、登録時の請求項６の内容と同じにしたものである。
　また、上記訂正事項ｂ乃至ｃは、上記訂正事項ａに伴い、特許請求の範囲の記載との整合を図るべく発明の詳細な説明を訂正したものである。
　ゆえに、上記訂正事項ａは、特許請求の範囲の減縮に該当し、上記訂正事項ｂ乃至ｃは、明瞭でない記載の釈明に該当しているから、これらの訂正事項ａ乃至ｃを含む上記訂正は、特許請求の範囲の減縮及び明瞭でない記載の釈明に該当し、新規事項を追加するものでなく、実質上特許請求の範囲を拡張し、または変更するものでもない。
（３）むすび
　以上のとおりであるから、上記訂正は、平成６年改正法附則第６条第１項の規定によりなお従前の例とされる、平成１１年改正前の特許法１２０条の４第３項で準用する第１２６条第１項ただし書き、第２項及び第３項の規定に適合するので、当該訂正を認める。
３．特許異議申し立てについての判断
（１）申立の理由の概要
　申立人斉藤茂は、証拠として、甲第１号証（特開平５−１３７３３１号公報）及び甲第２号証（特開平３−２１９９６０号公報）を提出し、本件請求項１乃至６に係る発明は、甲第１乃至２号証に記載された発明に基づいて当業者が容易に発明をすることができたものであると主張している。
　
（２）本件発明
　本件請求項１乃至６に係る発明は、（以下、「本件発明１乃至６」という。）は、平成１３年１０月１９日付で訂正された訂正明細書の特許請求の範囲の請求項１乃至６に記載されたとおりのものと認める（上記訂正事項ａを参照。）。
（３）甲各号証に記載の発明
　甲各号証には、本件発明１乃至６に係る発明に関連する事項として次のような事項が記載されている。
ア．甲第１号証（特開平５−１３７３３１号公報）
ａ．「本発明の目的は、小型で安価な外部操作スイッチによりスイッチング電源から電子機器への直流電源の供給および停止を制御することと、電子機器の動作中に外部操作スイッチをＯＦＦにして電子機器への直流電力供給を停止しても電子機器が故障しないスイッチング電源を得ることにある。」（段落【０００４】）
ｂ．「図１は、本発明の実施例を示す回路図である。１は商用電源で、ダイオードブリッジ２とコンデンサ３からなる整流回路に接続され、コンデンサ３の両端には直流電圧が発生する。４は変圧器で、・・・５はスイッチング・トランジスタで、電界効果トランジスタを用いている。・・・トランジスタ５が通電、非通電を繰り返すスイッチング動作を行なうと、１次巻線４ａに交流電圧が印加され２次巻線４ｃに交流電圧が発生する。・・・巻線４ｃに発生する交流電圧はダイオード６とコンデンサ７により整流され、コンデンサ７の両端には直流電圧が発生する。電子機器８は、コンデンサ７の両端に接続され直流電源の供給を受ける。駆動回路９は、・・・トランジスタ５のゲートーソース間に駆動電圧ＶＧを供給しトランジスタのスイッチング動作を行なう。検出回路１０は、検出回路１０に電源を供給する２次巻線４ｄと、外部操作スイッチ１１に接続され、スイッチ１１のＯＦＦ状態を検出すると、信号１２を出力する。制御回路１３は、検出回路１０からの信号１２を入力すると、スイッチング・トランジスタ５の駆動電圧ＶＧを抑制する。外部操作スイッチ１１がＯＮの状態では、信号１２は出力されず、制御回路１３は動作しない。外部操作スイッチ１１をＯＦＦ状態にすると、検出回路１０から信号１２が出力され制御回路１３が動作しスイッチング・トランジスタ５の駆動電圧ＶＧは低下してトランジスタ５は十分なスイッチング動作を行えなくなる。この結果コンデンサ７の両端に発生する直流電圧は低下し、電子機器８への直流電力供給は停止する。」（段落【０００８】）
ｃ．「図１中の制御回路１３は、図２中のダイオード１４、コンデンサ１５、フォトカプラ１６の受光トランジスタ１６１、トランジスタ１７、１８および抵抗で構成される。・・・図１中の検出回路１０は、図２中のダイオード１９、コンデンサ２０、フォトカプラ１６の発光ダイオード１６２および抵抗で構成される。・・・外部操作スイッチ１１が閉じた状態（ＯＦＦ状態）では、コンデンサ２０に発生している直流電圧により電流が抵抗を通してフオトカプラ１６の発光ダイオード１６２に流れ、信号１２を出力する。フォトカプラ１６の受光トランジスタ１６１は、発光ダイオード１６２からの信号１２により通電状態となる。・・・トランジスタ１７が通電状態となり、トランジスタ１８にベース電流が流れトランジスタ１８が通電状態になると、駆動回路９からスイッチング・トランジスタ５に供給される駆動電圧ＶＧが低下するため、トランジスタ５は十分なスイッチング動作を行えなくなる。この結果コンデンサ７の両端に発生していた直流電圧は低下し、電子機器８への直流電力の供給は停止する。・・・図４は本発明の他の実施例を示す回路図で、図１の検出回路１０の部分を、検出回路２３及び遅延回路付き検出回路２５に置き換え、電子機器８に動作停止回路３４を追加したものである。検出回路２３は外部操作スイッチ１１がＯＦＦ状態になると直ちに信号２４を出力し、動作停止回路３４は信号２４を入力すると直ちに電子機器８の動作を停止させる。遅延回路付き検出回路２５は、外部操作スイッチ１１がＯＦＦ状態になると一定時間後に信号１２を出力する。・・・外部操作スイッチ１１をＯＦＦ状態にすると、直ちに信号２４が出力され信号２４を入力した動作停止回路３４は電子機器の動作を停止させ、そして一定時間後に信号１２が出力され、電子機器８への直流電源供給は停止する。」（段落【０００９】）
ｄ．「図５は、図４における外部操作スイッチ１１、検出回路２３、および遅延回路付き検出回路２５の具体的回路例を示す図である。・・・コンデンサ７に直流電圧が発生している時にスイッチ１１ａを開く（ＯＦＦ状態）と、ツェナーダイオード２６のツェナー電圧が信号２４として出力され、動作停止回路３４に入力される。図４中の遅延回路付き検出回路２５は、図５中の巻線４ｄ、ダイオード２７、コンデンサ２８、トランジスタ２９、ツェナーダイオード３０、コンデンサ３１、フォトカプラ１６の発光ダイオード１６２および抵抗から構成される。・・・スイッチｌ１ｂを開く（ＯＦＦ状態）と、コンデンサ３１には抵抗３２を通して充電電流が流れ、トランジスタ２９のベースーエミッタ間に加わる電圧Ｖｂｅは徐々に上昇する。」（段落【００１０】）
「電圧Ｖｂｅがトランジスタ２９のベースーエミッタ間飽和電圧Ｖｓに達すると、トランジスタ２９は通電状態となり、フォトカプラ１６の発光ダイオード１６２に電流が流れ信号１２を出力し、電子機器８への直流電源供給は停止する。」（段落【００１１】）
ｅ．「外部操作スイッチ１１を操作してスイッチ１１ａとスイッチ１１ｂを閉じた状態（ＯＮ状態）にすると信号１２および信号２４は出力されず、電子機器８に直流電源は供給される。外部操作スイッチ１１を操作してスイッチ１１ａとスイッチ１１ｂを開いた状態（ＯＦＦ状態）にすると、直ちに信号２４が出力され、信号２４を入力した動作停止回路３４は直ちに電子機器の動作を停止させ、そして一定時間後に信号１２が出力され、電子機器８への直流電源供給は停止する。」（段落【００１２】）              
　上記記載を含む甲第１号証には、以下の発明が記載されている（括弧内は、本件発明１乃至６の対応する構成を示す。）。
「電子機器８において、
　商用電源１を１次側とし、電子機器８を２次側とする変圧器４と、
　前記１次側に配置される交流生成用スイッチング・トランジスタ５（スイッチングトランジスタ）と、
　前記２次側に配置されるＯＮ状態とＯＦＦ状態の少なくとも２つの状態をとる外部操作スイッチ１１と、
　前記外部操作スイッチがＯＦＦ状態になってから所定時間後に信号を出力する、発光素子１６２と、その発光素子１６２からの光を受光して信号を出力する受光素子１６１とを含むフォトカプラ１６を有する遅延回路付き検出回路２５（遅延回路）と、
　前記遅延回路付き検出回路２５の出力信号に基づいて前記交流生成用スイッチング・トランジスタ５（スイッチングトランジスタ）を非スイッチング状態にする駆動回路９（供給電力制御部）と、
を有し、前記外部操作スイッチがＯＦＦ状態にされると、前記電子機器８を直流電力供給を停止しても電子機器８が故障しない状態にする処理を行ない、その後、前記駆動回路（供給電力制御部）は前記遅延回路付き検出回路２５（遅延回路）の出力信号に基づいて前記交流生成用スイッチング・トランジスタ５（スイッチングトランジスタ）を非スイッチング状態にすることで電子機器８への電力供給を停止する電子機器８。」
イ．甲第２号証（特開平３−２１９９６０号公報）
ａ．「上述の記録動作中に、電源スイッチ１０１のオフ接点１０３と中間接点１０４が閉じる（第２１図、時刻ｔ５）と、コンデンサＣ１に充電されていた電荷はダイオードＤ１、コンデンサＣ１、抵抗Ｒ１の経路で急速に放電するので、ＭＰＵ１ＯＯＯのスイッチ端ＰＯＷ　ＳＷは“Ｈ”レベルから“Ｌ”レベルに変化する。ここで、ＭＰＵ１ＯＯＯはタイマ１００３から周期的に出力される信号に基づいて、第２２図（Ｂ）に示す電源スイッチオフ検出処理を周期的に実行している。この処理はステップＳ１１でスタートし、ステップＳ１２にて電源スイッチ１０１がオフか否かを判断するものである。この判断は、スイッチ端ＰＯＷ　ＳＷのレベルを見ることによって行われる。従って、時刻ｔ５以前においてはスイッチ端ＰＯＷ ＳＷが“Ｈ”レベルであるため、ステップＳ１３に移ってこの処理を終了する。一方、時刻ｔ５以降においては、上述のとおりスイッチ端ＰＯＷ　ＳＷは“Ｌ”レベルになっているため、ステップＳ１４に移ってヘッド９をホームポジションに復帰させる。この復帰動作も、先の記録動作時における復帰動作同様、キャリッジモータ３１を記録時とは逆方向に駆動することによって実行される。その後、ステップＳ１５にてＭＰＵ１ＯＯＯはキャップ５１をクローズして、ヘッド９を待機状態に設定する。キャップ５１によりヘッド９の吐出口形成面が覆われるので、非記録時における吐出口内方への塵埃の混入等を防止することができる。・・・ステップＳ１６では、今まで処理していた文書やデータ等を保存する電源オフの前処理を行う。そして、ステップＳ１７にて電源制御端ＰＯＷ　ＯＮを“Ｌ”レベルにすることによって、トランジスタＴＲ２をオフし（第２１図、時刻ｔ６）、ステップＳ１８にて処理を終了する。上述したように、トランジスタＴＲ１は時刻ｔ３以降オフしているので、トランジスタＴＲ２のオフに伴なってトランジスタＴＲ３もオフ状態となり、電源１００からの各部に対する電源供給が遮断されることになる。以上のとおり、この実施例によればヘッド９の記録動作中に電源スイッチ１０１がオフにされても、ヘッド９をホームポジションに復帰させ、キャップ５１をクローズしてヘッド９を待機状態に設定した後に、電源１００からの電源供給が遮断される。」（第１２頁左上欄第１５行〜右下欄第５行）
ｂ．「プリンタ部８の待機状態設定動作の終了検出を信号ＢＵＳＹを用いて行っているが、タイマー１００３を用いて待機状態の設定に必要な最長時間によって検出してもよい。」（第１３頁右下欄第３〜７行）
　上記記載を含む甲第２号証には、以下の発明が記載されている（括弧内は、本件発明１乃至６の対応する構成を示す。）。
「プリンタ制御部１０によってプリンタ部８（プリンタ機構部）の動作を制御するようにしたインクジェット記録装置において、
　ＯＮ状態とＯＦＦ状態の少なくとも２つの状態をとる電源スイッチ１０１（外部操作スイッチ）と、
　電源１００からプリンタ部への電力供給を停止するトランジスタＴＲ１，ＴＲ２，ＴＲ３を含む回路（供給電力制御部）と
を有し、前記電源スイッチ１０１（外部操作スイッチ）がＯＦＦ状態にされると、前記プリンタ制御部は、ヘッド９をホームポジションに復帰させ、キャップ５１をクローズしてヘッド９を待機状態に設定する処理（印字ヘッドの性能を恒常的に保つための一連の動作を含む後処理）を行ない、その後、前記待機状態の設定動作の終了を知らせるＢＵＳＹ信号に基づいてプリンタ制御部１０への電力供給を停止するインクジェット記録装置」
あるいは、
「プリンタ制御部１０によってプリンタ部８（プリンタ機構部）の動作を制御するようにしたインクジェット記録装置において、
　ＯＮ状態とＯＦＦ状態の少なくとも２つの状態をとる電源スイッチ１０１（外部操作スイッチ）と、
　電源１００からプリンタ部への電力供給を停止するトランジスタＴＲ１，ＴＲ２，ＴＲ３を含む回路（供給電力制御部）と
を有し、前記電源スイッチ１０１（外部操作スイッチ）がＯＦＦ状態にされると、前記プリンタ制御部は、ヘッド９をホームポジションに復帰させ、キャップ５１をクローズしてヘッド９を待機状態に設定する処理（印字ヘッドの性能を恒常的に保つための一連の動作を含む後処理）を行ない、前記供給電力制御部はタイマー１００３を用いる前記待機状態の設定に必要な最長時間の検出（遅延回路の出力信号）に基づいてプリンタ制御部１０への電力供給を停止するインクジェット記録装置。」
（４）対比・判断 
ア．本件発明１乃至４について、
　本件発明１と上記甲１乃至２号証に記載された発明とを対比する。        上記甲第１号証と甲第２号証のいずれにも、本件発明１の構成要件である、「外部操作スイッチがＯＦＦ状態になってから所定時間後に信号を出力する遅延回路を有する」と共に、「更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にする」点についての記載も示唆もなく、この点が当該技術分野において周知である証拠もない。
　また、甲第２号証に記載されたインクジェット記録装置（インクジェットプリンタ）において、その電源１００とプリンタ制御部１０の間の電力供給構成に甲第１号証に記載されたそれを単に置換することは、当業者が容易に想起できることであるといえるが、甲第２号証には、上述のとおり、タイマー１００３を用いた電源スイッチ１０１（外部操作スイッチ）がＯＦＦ状態になってからの所定時間後にプリンタ制御部１０への電力供給を停止する構成あるいは待機状態の設定の処理（後処理）の終了によりプリンタ制御部１０への電力の供給を停止する構成とが記載されているだけで、両構成を併せ持たせることについて、何らの記載も示唆もなく、また、甲１号証には、直流電力供給を停止しても電子機器８が故障しない状態にする処理が終わると電子機器８から給電停止信号を出力し、この給電停止信号に基づいて、交流生成用スイッチング・トランジスタ５（スイッチングトランジスタ）を非スイッチング状態にする駆動回路（供給電力制御部）を作動させる電力供給構成について記載も示唆もないから、甲第１号証と甲第２号証に各記載された発明を相互に適用しても、本件発明１に到達することができない。
　そして、本件発明１は、上記点を具備することにより、訂正明細書に記載された「抵抗やコンデンサ等によって形成される遅延回路だけを用いる場合に比べて、無駄な遅延時間を生じることなく電力供給を停止することが可能となる。」という甲第１乃至２号証に記載されていない作用効果を奏するものである。
　したがって、本件発明１は、上記甲第１乃至２号証に記載された発明に基づいて当業者が容易に発明をすることができたものといえない。
　また、本件発明２乃至４は、本件発明１の構成要件を全て具備し、さらに技術的に限定したものであるから、本件発明１についての上記理由と同様な理由で、甲第１乃至２号証に記載された発明に基づいて、当業者が容易に発明をすることができたものといえない
イ．本件発明５，６について
　本件発明５と本件発明６は、それぞれ、上記本件発明１と本件発明２を、単に、方法の発明としたものであるから、本件発明１についての上記理由と同様な理由で、甲第１乃至２号証に記載された発明に基づいて当業者が容易に発明をすることができたものとはいえない。
（４）むすび
　以上のとおりであるから、特許異議申し立ての理由及び証拠方法によっては、本件請求項１乃至６に係る発明の特許を取り消すことができない。
　また、他に本件請求項１乃至６に係る発明の特許を取り消すべき理由を発見しない。
　したがって、本件請求項１乃至６に係る発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年１１月１９日（２００１．１１．１９）
【訂正の要旨】
　訂正の要旨
ア．訂正事項ａ
　特許請求の範囲の減縮を目的として、特許請求の範囲を
　【請求項１】　プリンタ制御部によってプリンタ機構部の動作を制御するようにしたインクジェットプリンタにおいて、
　商用電源を１次側とし、プリンタ制御部及びプリンタ機構部を２次側とする変圧器と、
　前記１次側に配置される交流生成用スイッチングトランジスタと、
　前記２次側に配置されるＯＮ状態とＯＦＦ状態の少なくとも２つの状態をとる外部操作スイッチと、
　前記外部操作スイッチがＯＦＦ状態になってから所定時間後に信号を出力する遅延回路と、
　前記遅延回路の出力信号に基づいて前記交流生成用スイッチングトランジスタを非スイッチング状態にする供給電力制御部と、
を有し、前記外部操作スイッチがＯＦＦ状態にされると、前記プリンタ制御部は所定の後処理を行ない、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止
し、更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にする
　【請求項２】　前記後処理が終わると
前記給電停止信号を出力する
　【請求項３】　前記供給電力制御部は、
　遅延回路の出力信号または
給電停止用スイッチング素子の出力信号
　その受光素子の出力信号に基づいて前記交流生成用スイッチングトランジスタを非スイッチング状態にする請求項１に記載のインクジェットプリンタ。
　【請求項４】　前記所定の後処理とは、プリンタ機構部の印字ヘッドの性能を恒常的に保つための一連の動作を含むものである請求項１乃至請求項３のいずれか１つに記載のインクジェットプリンタ。
　【請求項５】　商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチとを有し、前記２次側に配置されるプリンタ制御部によってプリンタ機構部の動作を制御するようにしたインクジェットプリンタにおける制御方法であって、
　前記外部操作スイッチがＯＦＦ状態にされたのを検出する工程と、
　前記外部操作スイッチがＯＦＦ状態になってから前記プリンタ制御部が所定の後処理を行なう工程と、
　前記プリンタ制御部による所定の後処理の後、前記外部操作スイッチがＯＦＦ状態になってから所定時間後に遅延信号を出力する工程と、
　前記後処理が終わると給電停止信号を出力する工程と、
　前記遅延信号の出力に基づいて前記交流生成用スイッチングトランジスタを非スイッチング状態にすることでプリンタ制御部及びプリンタ機構部の少なくとも一方への電力供給を停止する工程と、
前記遅延信号の出力に先んじて前記給電停止信号が出力された場合、前記給電停止信号に基づいて前記交流生成用スイッチングトランジスタを非スイッチング状態にする工程と
を有するインクジェットプリンタの制御方法。
　【請求項６】　前記インクジェットプリンタは、前記後処理が終わると
前記給電停止信号を出力する
と訂正する（訂正個所にアンダーラインを付した。以下、同じ）。
イ．訂正事項ｂ
　明細書の段落番号【０００８】を、明瞭でない記載の釈明を目的として、
　【課題を解決するための手段】
　上記の目的を達成するため、本発明にかかるインクジェットプリンタは、プリンタ制御部によってプリンタ機構部の動作を制御するようにしたインクジェットプリンタにおいて、商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチと、前記外部操作スイッチがＯＦＦ状態になってから所定時間後に信号を出力する遅延回路と、前記遅延回路の出力信号に基づいて前記交流生成用スイッチングトランジスタを非スイッチング状態にする供給電力制御部とを有し、前記外部操作スイッチがＯＦＦ状態にされると、前記プリンタ制御部は所定の後処理を行ない、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止
し、更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にする。
と訂正する
ウ．訂正事項ｃ
　明細書の段落番号【００１３】を、明瞭でない記載の釈明を目的として、
第２は次の構成である。プリンタ制御部による後処理動作の完了後に
給電停止信号を出力し、その給電停止信号に基づいて
と訂正する。
（５４）【発明の名称】
インクジェットプリンタ
（５７）【特許請求の範囲】
　【請求項１】　プリンタ制御部によってプリンタ機構部の動作を制御するようにしたインクジェットプリンタにおいて、
　商用電源を１次側とし、プリンタ制御部及びプリンタ機構部を２次側とする変圧器と、
　前記１次側に配置される交流生成用スイッチングトランジスタと、
　前記２次側に配置されるＯＮ状態とＯＦＦ状態の少なくとも２つの状態をとる外部操作スイッチと、
　前記外部操作スイッチがＯＦＦ状態になってから所定時間後に信号を出力する遅延回路と、
　前記遅延回路の出力信号に基づいて前記交流生成用スイッチングトランジスタを非スイッチング状態にする供給電力制御部と
を有し、前記外部操作スイッチがＯＦＦ状態にされると、前記プリンタ制御部は所定の後処理を行い、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止し、更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にするインクジェットプリンタ。
　【請求項２】　前記後処理が終わると前記給電停止信号を出力する給電停止用スイッチング素子をさらに有する請求項１記載のインクジェットプリンタ。
　【請求項３】　前記供給電力制御部は、
　前記遅延回路の出力信号または前記給電停止信号に基づいて発光する発光素子と、その発光素子からの光を受光して信号を出力する受光素子とを含むフォトカプラを有しており、
　その受光素子の出力信号に基づいて前記交流生成用スイッチングトランジスタを非スイッチング状態にする請求項１記載のインクジェットプリンタ。
　【請求項４】　前記所定の後処理とは、プリンタ機構部の印字ヘッドの性能を恒常的に保つための一連の動作を含むものである請求項１乃至請求項３のいずれか１つに記載のインクジェットプリンタ。
　【請求項５】　商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチとを有し、前記２次側に配置されるプリンタ制御部によってプリント機構部の動作を制御するようにしたインクジェットプリンタにおける制御方法であって、
　前記外部操作スイッチがＯＦＦ状態にされたのを検出する工程と、
　前記外部操作スイッチがＯＦＦ状態になってから前記プリンタ制御部が所定の後処理を行う工程と、
　前記プリンタ制御部による所定の後処理の後、前記外部操作スイッチがＯＦＦ状態になってから所定時間後に遅延信号を出力する工程と、
　前記後処理が終わると給電停止信号を出力する工程と、
　前記遅延信号の出力に基づいて前記交流生成用スイッチングトランジスタを非スイッチング状態にすることでプリンタ制御部及びプリンタ機構部の少なくとも一方への電力供給を停止する工程と、
　前記遅延信号の出力に先んじて前記給電停止信号が出力された場合、前記給電停止信号に基づいて前記交流生成用スイッチングトランジスタを非スイッチング状態にする工程とを有するインクジェットプリンタの制御方法。
　【請求項６】　前記インクジェットプリンタは、前記後処理が終わると前記給電停止信号を出力する給電停止用スイッチング素子をさらに有する請求項５記載のインクジェットプリンタの制御方法。
【発明の詳細な説明】
　【０００１】
　【発明の属する技術分野】
　本発明は、インクを噴射する印字ヘッドを印材に対して走査移動させることによりプリントを行うインクジェットプリンタに関する。
　【０００２】
　【従来の技術】
　インクジェットプリンタでは、周知の通り、印字ヘッドを印材、例えばプリント用紙に対して主走査移動させ、同時に印材を副走査移動させることにより、希望する画像を印材上にプリントする。このインクジェットプリンタは、通常、コンピュータ等によって構成されるプリンタ制御部と、そのプリンタ制御部によって動作制御されるプリンタ機構部とによって構成される。プリンタ機構部は、例えば印字ヘッド、その印字ヘッドを走査移動させるための駆動系及びその他種々の機構部によって構成される。
　【０００３】
　インクジェットプリンタには、一般に、その動作を開始及び停止するための外部操作スイッチが設けられ、その外部操作スイッチをＯＮ状態にすればプリンタが稼動し、その外部操作スイッチをＯＦＦ状態にすればプリンタの動作が停止するようになっている。このような外部操作スイッチを設けたインクジェットプリンタとして、従来、外部操作スイッチをＯＦＦ状態にすると、直ちにプリンタ制御部及びプリンタ機構部への電力供給が停止するものが知られている。
　【０００４】
　しかしながら、この方式の従来のインクジェットプリンタでは、外部操作スイッチをＯＦＦ状態にしたとき、プリンタ機構部が動作途中であると、プリンタ機構部はその途中状態のまま停止してしまう。今、プリンタ機構部として、例えば印字ヘッド及びその駆動系を考えると、印字処理が行われない非稼動時には、印字ヘッドは所定のホームポジションに置かれていなければならない。このホームポジションにおいて、例えば、インクの乾きを防止するために印字ヘッドのインク噴射部をキャップする等のヘッド保護の機能を恒常的に保つための処理が行われる。外部操作スイッチがＯＦＦ状態に切り替えられたときにプリンタ機構部の稼動を直ちに停止するようにした従来のインクジェットプリンタでは、例えば、印字ヘッドが印字作業を行っている途中で外部操作スイッチがＯＦＦ状態にされると、印字ヘッドがホームポジション以外の位置に停止してしまい、印字ヘッドを損傷するおそれがあった。また、プリンタ機構部を構成する印字ヘッド以外の他の構成機器に関しても、同様にして、種々の不都合が発生するおそれがあった。
　【０００５】
　また、上記の従来装置の他に従来のインクジェットプリンタとして、外部操作スイッチがＯＦＦ状態に切り替えられると、印字ヘッドがホームポジションへ復帰移動する方式のプリンタも知られている。このプリンタによれば、印字ヘッド等の動作機器が中途位置で停止してしまうことが防がれるので、それらの動作機器の損傷を防止できる。
　【０００６】
　しかしながら、この従来のインクジェットプリンタでは、外部操作スイッチがＯＦＦ状態に切り替えられた後に印字ヘッド等を初期状態に戻さなければならないので、外部操作スイッチがＯＦＦ状態にされた後もプリンタ制御部やプリンタ機構部への電力供給が停止されることなく引き続いて継続されなければならなかった。つまり、外部操作スイッチをＯＦＦ状態に切り替えるという操作は、見掛け上インクジェットプリンタの電源を切るということであり、実質的には、商用電源からプリンタ機構部等へ電力供給が継続して行われていた。このため、この方式の従来のインクジェットプリンタに関しては、消費電力が多く、しかも安全性が低いという問題があった。
　【０００７】
　【発明が解決しようとする課題】
　本発明は、従来のインクジェットプリンタにおける上記の問題点を解消するためになされたものであって、外部動作スイッチをＯＦＦ状態へ切り替えた後に、印字ヘッド等を含むプリンタ機構部に対して後処理動作を確実に実行でき、しかもプリンタ機構部等への電力供給を実質的に停止できるようにすることを目的とする。
　【０００８】
　【課題を解決するための手段】
　上記の目的を達成するため、本発明にかかるインクジェットプリンタは、プリンタ制御部によってプリンタ機構部の動作を制御するようにしたインクジェットプリンタにおいて、商用電源を１次側とし、プリンタ制御部及びプリンタ機構部を２次側とする変圧器と、前記１次側に配置される交流生成用スイッチングトランジスタと、前記２次側に配置されるＯＮ状態とＯＦＦ状態の少なくとも２つの状態をとる外部操作スイッチと、前記外部操作スイッチがＯＦＦ状態になってから所定時間後に信号を出力する遅延回路と、前記遅延回路の出力信号に基づいて前記交流生成用スイッチングトランジスタを非スイッチング状態にする供給電力制御部とを有し、前記外部操作スイッチがＯＦＦ状態にされると、前記プリンタ制御部は所定の後処理を行い、その後、前記供給電力制御部は前記遅延回路の出力信号に基づいて前記交流生成用スイッチングトランジスタを非スイッチング状態にすることでプリンタ制御部及びプリンタ機構部の少なくとも一方への電力供給を停止し、更に、前記後処理が終わると給電停止信号を出力し、前記遅延回路の出力信号に先んじて前記給電停止信号が出力された場合、前記供給電力制御部は前記給電停止信号に基づいて前記交流生成用スイッチングトランジスタを非スイッチング状態にする。
　【０００９】
　上記のプリンタ機構部は、印字ヘッド、その印字ヘッドのための駆動系、ヘッドのキャッピングを行う機構、その他種々の動作系を含んだ機構部のことである。また、プリンタ制御部は、そのプリンタ機構部の動作を制御するための部分であって、多くの場合は、ＣＰＵ（中央処理装置）を含んだコンピュータ等によって構成される。
　【００１０】
　外部操作スイッチのＯＮ状態というのは、オペレータがインクジェットプリンタを稼動させようとして外部操作スイッチのスイッチを入れた状態のことである。一方、外部操作スイッチのＯＦＦ状態というのは、オペレータがインクジェットプリンタの稼動を停止しようとして外部操作スイッチを切り替えたときの状態のことである。一般に、外部操作スイッチは閉状態と開状態の少なくとも２つのスイッチング状態をとるが、これらの閉状態及び開状態と上記のＯＮ状態及びＯＦＦ状態との関係は、採用する回路構成との関係で自由に設定できる。すなわち、外部操作スイッチが閉状態のときをＯＮ状態とし、開状態のときをＯＦＦ状態と設定することもできるし、あるいは外部操作スイッチが開状態のときをＯＮ状態とし、閉状態のときをＯＦＦ状態と設定することもできる。
　【００１１】
　インクジェットプリンタの電源部に用いられる安定化電源として、商用電源を１次側とし且つプリンタ制御部及びプリンタ機構部を２次側とする変圧器と、その変圧器の１次側に配置される交流生成用スイッチングトランジスタとを有する、いわゆるスイッチングレギュレータ方式のものがある。この電源では、スイッチングトランジスタのスイッチング動作を制御することにより、プリンタ制御部及びプリンタ機構部への供給電力を調節する。この形式の電源部を用いた場合には、プリンタ制御部及びプリンタ機構部への電力供給を停止するための供給電力制御部を、例えば、つぎの２通りに構成できる。
　【００１２】
　第１は次の構成である。外部操作スイッチがＯＦＦ状態になってから所定の遅延時間後に信号を出力する遅延回路を設け、その遅延回路の出力信号に基づいて交流生成用スイッチングトランジスタを非スイッチング状態にセットする。そして同時に、その遅延時間内にプリンタ制御部によって後処理動作を実行する。
　【００１３】
　第２は次の構成である。プリンタ制御部による後処理動作の完了後に給電停止信号を出力し、その給電停止信号に基づいて上記交流生成用スイッチングトランジスタを非スイッチング状態にセットする。
　【００１４】
　変圧器の１次側に交流生成用スイッチングトランジスタを配置した形式のインクジェットプリンタを考えた場合には、供給電力制御部は、変圧器の２次側に配置した発光素子及び１次側に配置した受光素子を含むフォトカプラを用いて構成できる。この供給電力制御部では、１次側の受光素子の出力信号に基づいて交流生成用スイッチングトランジスタを非スイッチング状態にセットする。
　【００１５】
　【作用】本発明のインクジェットプリンタによれば、外部操作スイッチがＯＦＦ状態へ切り替えられると、まず、プリンタ制御部によってプリンタ機構部に対して後処理動作が実行される。例えば、印字ヘッドをホームポジションに戻す。その後処理動作の完了後にプリンタ機構部及び／又はプリンタ制御部への電力の供給が実質的に停止される。
　【００１６】
　【実施例】
　（実施例１）図１は、本発明に係るインクジェットプリンタの一実施例を示している。このインクジェットプリンタは、電源部１と、プリンタ制御部２と、そしてプリンタ機構部３とを有している。プリンタ制御部２は、例えばコンピュータによって構成されていて、図２に示すように、各種のプリント動作を演算する演算処理部４及び各種のプリント動作のための所定のプログラムを格納したメモリ６を有している。なお、コンピュータを構成するその他の要素、例えばインターフェース等は便宜上省略してある。プリンタ機構部３は、インクジェットプリンタを構成する各種の動作機器の全てを含む部分のことであり、例えば図２に示すような、プーリ８ａ及び８ｂに掛け渡されたタイミングベルト９と、そのタイミングベルト９に接続された印字ヘッド７と、タイミングベルト９を駆動するモータ１０とによって構成される機構部を含んでいる。
　【００１７】
　モータ１０は、演算処理部４によって動作制御されるドライバ１１によって駆動され、タイミングベルト９を往復周回移動させる。タイミングベルト９がそのように往復周回移動すると、それに接続された印字ヘッド７は矢印Ａで示すように印材、例えばプリント用紙１２に対して平行移動、すなわち主走査移動する。プリント用紙１２は主走査方向Ａに対して直角の矢印Ｂ方向へ副走査移動する。符号Ｈは、印字ヘッド７のホームポジションを示している。
　【００１８】
　図１に戻って電源部１は、商用電源１６に接続されるダイオードブリッジ１３とコンデンサ１４とによって構成される整流回路１５を有している。コンデンサ１４の両端には直流電圧が発生する。符号１７は変圧器であって、図中の“・”印はその変圧器１７の巻線の極性を示す。符号１８は交流生成用スイッチングトランジスタであって、本実施例では電界効果トランジスタを用いている。変圧器１７の１次巻線１９ａのａ１側はコンデンサ１４の陽極に接続され、その１次巻線１９ａのａ２側は交流生成用スイッチングトランジスタ１８のドレインに接続される。トランジスタ１８のソースはコンデンサ１４の陰極に接続される。
　【００１９】
　トランジスタ１８が、駆動回路２０によって制御されて通電及び非通電を繰り返すスイッチング動作を行うと、１次巻線１９ａに交流電圧が印加されて２次巻線１９ｃに交流電圧が発生する。２次巻線１９ｃのｃ２側にはダイオード２１の陽極が接続され、その巻線１９ｃのｃ１側はコンデンサ２２の陰極に接続される。このコンデンサ２２の陽極はダイオード２１の陰極に接続される。巻線１９ｃに発生する交流電圧はダイオード２１とコンデンサ２２によって整流され、コンデンサ２２の両端には直流電圧が発生する。プリンタ機構部３は、コンデンサ２２の両端に接続されて直流電力の供給を受ける。
　【００２０】
　駆動回路２０は、コンデンサ１４の両端に接続されると共に、交流生成用スイッチングトランジスタ１８のゲートと巻線１９ｂのｂ１側に接続され、トランジスタ１８のゲート・ソース間に駆動電圧ＶＧを供給してトランジスタのスイッチング動作を行う。コンデンサ１４の両端には、ツェナーダイオード２３及び抵抗から成る直列回路が接続され、さらに電界効果トランジスタ２４がスイッチングトランジスタ１８のゲート・ソース間に接続されている。トランジスタ２４のゲートはフォトカプラ２５の受光トランジスタ２５ｂのエミッタに接続され、受光トランジスタ２５ｂのコレクタはツェナーダイオード２３の陰極に接続される。フォトカプラ２５は、高電圧である変圧器の１次側と低電圧であるその２次側とを電気的に絶縁分離する。
　【００２１】
　２次側の巻線１９ｄのｄ２側にはダイオード２６の陽極が接続され、巻線１９ｄのｄ１側にはコンデンサ２７の陰極が接続され、コンデンサ２７の陽極はダイオード２６の陰極に接続される。１次側の交流生成用スイッチングトランジスタ１８がスイッチング動作を行うと巻線１９ｄに交流電圧が発生するが、その交流電圧はダイオード２６とコンデンサ２７とによって整流され、コンデンサ２７の両端に直流電圧が発生する。コンデンサ２７の陽極には抵抗を介してツェナーダイオード２８の陰極が接続され、コンデンサ２７の陰極にはツェナーダイオード２８の陽極が接続される。ツェナーダイオード２８の陰極には、抵抗２９を介してコンデンサ３０の陽極が接続され、そのコンデンサ３０の陰極がツェナーダイオード２８の陽極に接続される。また、コンデンサ３０の陽極は電界効果トランジスタ３１のゲートに接続され、そのコンデンサ３０の陰極はトランジスタ３１のソースに接続される。このトランジスタ３１のドレインはフォトカプラ２５の発光ダイオード２５ａの陰極に接続され、その発光ダイオード２５ａの陽極は、２次巻線１９ｃ側のコンデンサ２２の陽極に接続される。
　【００２２】
　トランジスタ３１のゲート・ソース間には外部操作スイッチ３２のスイッチ３２ｂが配置されている。外部操作スイッチ３２は、そのスイッチ３２ｂと連動して同時に開閉するもう１つのスイッチ３２ａを有している。本実施例の外部操作スイッチ３２は、オペレータがインクジェットプリンタを稼動させようとして外部操作スイッチのスイッチを入れた状態、すなわちＯＮ状態のときに閉状態にセットされる。一方、オペレータがインクジェットプリンタの稼動を停止しようとして外部操作スイッチを切り替えたときの状態、すなわちＯＦＦ状態のときに開状態にセットされる。
　【００２３】
　２次巻線１９ｃ側において、コンデンサ２２の両端子間に、入力直流電圧を減圧して低圧の直流電圧を出力するレギュレータ３３が接続され、このレギュレータ３３の出力電圧がプリンタ制御部２に供給される。外部操作スイッチ３２の一方のスイッチ３２ａは、レギュレータ３３の出力端子とトランジスタ３１のソースとの間に配置される。また、スイッチ３２ａの一方の端子は抵抗４０を介してプリンタ制御部２の入力端子（Ａ）を介して演算処理部４（図２）へ導かれる。
　【００２４】
　以上に説明した回路構成では、プリンタ制御部及び／又はプリンタ機構部への電力供給を停止するための供給電力制御部は、トランジスタ３１、フォトカプラ２５及びトランジスタ２４によって構成される。また、外部操作スイッチ３２がＯＦＦ状態になってから所定の遅延時間後に信号を出力する遅延回路は、ツェナーダイオード２８、抵抗２９、コンデンサ３０及びトランジスタ３１によって構成される。
　【００２５】
　以下、上記構成より成るインクジェットプリンタの動作を、図３に示すタイミングチャートを参照しつつ説明する。なお、以下の説明では、オペレータがインクジェットプリンタの動作を開始するために外部操作スイッチを操作した状態をＯＮ状態と表現し、オペレータがインクジェットプリンタの動作を停止するために外部操作スイッチを操作した状態をＯＦＦ状態と表現する。そして本実施例では、既述の通り、ＯＮ状態のときに外部操作スイッチ３２の各スイッチ３２ａ及び３２ｂが閉状態になり、ＯＦＦ状態のときに各スイッチ３２ａ及び３２ｂが開状態になるように設定される。
　【００２６】
　図３において、外部操作スイッチ３２がＯＮ状態（閉状態）にあるとき、図１の電源部１の働きによってプリンタ制御部２及びプリンタ機構部３に所定の電力が供給されて、プリンタ機構部３によって周知のプリント動作が実行される。例えば、図２において、プリント用紙１２が矢印Ｂ方向へ搬送され、同時に印字ヘッド７がタイミングベルト９によって駆動されて矢印Ａ方向へ移動する。そしてそれらの移動の最中に、適宜の印字信号に基づいたタイミングで印字ヘッド７から用紙１２へ向けてインクが噴射され、これにより、用紙１２上に希望の画像が得られる。
　【００２７】
　オペレータがインクジェットプリンタの動作を停止しようとして外部操作スイッチ３２をＯＦＦ状態（開状態）にすると、プリンタ制御部２の信号入力端子（Ａ）がＨ（Ｈｉｇｈ）となり、外部操作スイッチ３２がＯＦＦ状態（開状態）に切り替えられたことが制御部２によって検知される。すると、プリンタ制御部２内の演算処理部４（図２）は、プリンタ機構部３に対して後処理動作を実行する。後処理動作というのは、プリンタ機構部３を構成する各種機器の動作状態を初期位置に戻すための動作のことであり、例えば、走査移動している印字ヘッド７（図２）をホームポジションＨへ復動させる動作等が含まれる。
　【００２８】
　外部操作スイッチ３２、特にその接点３２ｂがＯＦＦ状態（開状態）になってから上記の後処理動作が実行されている間、コンデンサ３０が充電されてその端子間電圧が徐々に上昇する。この電圧がトランジスタ３１のスレッシュホールド電圧を越えると、電界効果トランジスタ３１のゲートが通電してそのトランジスタ３１が通電状態になり、その結果、フォトカプラ２５の発光ダイオード２５ａが通電して発光する。この発光により受光トランジスタ２５ｂは通電状態になり、そのため電界効果トランジスタ２４のゲートが通電してそのトランジスタ２４が通電状態になる。すると、交流生成用スイッチングトランジスタ１８のゲート・ソース間にバイアス電圧がかからなくなり、よって、そのトランジスタ１８によるスイッチング動作が停止又は不十分になる。この結果、２次側のコンデンサ２２の両端（Ｃ）に発生していた直流電圧が低下し、そして同時にレギュレータ３３の出力端子に発生していた直流電圧も低下して、プリンタ制御部２及びプリンタ機構部３への直流電力の供給は実質的に停止する。実質的に停止するというのは、供給される直流電力が正確にゼロになることもあるし、あるいはプリンタ機構部３等の動作に影響を与えないような数ボルト程度の微小電力が流れる場合もあるということである。
　【００２９】
　以上のように、外部操作スイッチ３２がＯＦＦ状態（開状態）へ切り替えられると、まず、プリンタ制御部２によってプリンタ機構部３に対して所定の後処理が実行される。例えば、図２において、印字ヘッド７が印字動作を行っているときには、その印字ヘッド７を強制的にホームポジションＨまで復動させる。このホームポジションＨには印字ヘッド７のインク噴射部を覆うキャップが配置されており、ホームポジションＨへ復動した印字ヘッド７のインク噴射部をそのキャップで覆うことにより、インクの乾燥を防止したり、印字ヘッドが傷つくことを防止したりする。さらに必要に応じて、このホームポジションＨにおいて、印字ヘッドの性能を恒常的に保つための追加の処理が行われる。そして、そのような後処理動作の完了後にプリンタ制御部及びプリンタ機構部への電力供給が停止される。これにより、消費電力の節減及びオペレータに対する安全が確保される。
　【００３０】
　（実施例２）図４は、本発明に係るインクジェットプリンタの他の実施例を示している。この実施例が図１に示した先の実施例と異なる点は、給電停止用スイッチング素子としてのトランジスタ３４、抵抗Ｒａ、抵抗Ｒｂ及びダイオードＤから成る直列回路をプリンタ制御部２の出力端子（Ｂ）に接続したことである。それ以外の回路要素は図１の実施例の場合と同じであるので、同じ要素は同じ符号を付すことにしてそれらについての説明は省略する。
　【００３１】
　図１に示した実施例では、ツェナーダイオード２８、抵抗２９及びコンデンサ３０によって形成される時定数により、外部操作スイッチ３２がＯＦＦ状態（開状態）になってからトランジスタ３１がＯＮ状態になって電力供給が停止するまでの時間が決められる。この遅延時間は、バラツキが大きいため、プリンタの後処理動作時間に対して十分長く設定される。具体的には、後処理動作時間は概ね１０〜２０秒であり、これに対して遅延時間は１分から２分程度に設定される。
　【００３２】
　このように遅延時間を長く設定すると、後処理動作が終了してから実際に電力が停止するまでに数十秒の時間が生ずる。つまり、実施例１のプリンタでは後処理が終了すると操作パネルのＬＥＤを消す等して見掛け上電源をＯＦＦ状態にするが、実際には、遅延時間が経過し終るまでの数十秒間は電力が供給されることになる。このときにオペレータが、例えばインターフェース等のオプション基板等を交換すると回路故障や印字ヘッドを搭載したキャリッジが暴走が生じるおそれがある。実施例２は、そのような危険性を回避するために、プリンタ機構部に対する後処理動作の終了後、直ちに電力供給を停止するようにしたものである。
　【００３３】
　本実施例では、レギュレータ３３の出力端子とトランジスタ３１のゲートとの間に、抵抗Ｒａ、抵抗Ｒｂ及びダイオードＤを介してトランジスタ３４が接続される。そして、このトランジスタ３４のベースが、図５に示すように、プリンタ制御部２の出力端子（Ｂ）を介して演算処理部４に導かれる。抵抗Ｒａ及びＲｂは抵抗２９に比べて十分に小さい抵抗値に設定される。
　【００３４】
　本実施例でも、オペレータがインクジェットプリンタの動作を停止しようとして外部操作スイッチ３２をＯＦＦ状態（開状態）にすると、図６に示すように、プリンタ制御部２の信号入力端子（Ａ）が“Ｈ”となり、外部操作スイッチ３２がＯＦＦ状態（開状態）に切り替えられたことを制御部２が検知する。すると、プリンタ制御部２内の演算処理部４（図５）は、プリンタ機構部３に対して後処理動作、例えば印字ヘッド７のホームポジションＨへの復帰動作を実行する。
　【００３５】
　その後処理動作が完了すると、演算処理部４は出力端子（Ｂ）の出力を所定のプログラムに従って直ちに“Ｈ”から“Ｌ”に切り替えてトランジスタ３４をＯＮ状態にする。すると、抵抗２９に比べて十分に小さい抵抗Ｒａ及びＲｂを介してコンデンサ３０へ急速に電流が流れてそのコンデンサ３０が急速に充電し、その結果、コンデンサ３０の端子間電圧は極短時間にトランジスタ３１のスレッシュホールド電圧に達し、その結果、トランジスタ３１が通電状態になる。すると、フォトカプラ２５の発光ダイオード２５ａが通電して発光し、この発光により受光トランジスタ２５ｂは通電状態になり、その結果、電界効果トランジスタ２４のゲートが通電してそのトランジスタ２４が通電状態になる。すると、交流生成用スイッチングトランジスタ１８のゲート・ソース間にバイアス電圧がかからなくなり、そのトランジスタ１８によるスイッチング動作が停止又は不十分になる。この結果、２次側のコンデンサ２２の両端（Ｃ）に発生していた直流電圧が低下し、そして同時にレギュレータ３３の出力端子に発生していた直流電圧も低下して、プリンタ制御部２及びプリンタ機構部３への直流電力の供給は実質的に停止する。
　【００３６】
　以上の説明から明らかなように、本実施例においても、外部操作スイッチ３２がＯＦＦ状態（開状態）に切り替わると、まず、プリンタ機構部３に関する後処理が実行され、その後処理が完了した後にプリンタ制御部２及びプリンタ機構部３への電力供給が停止される。なお、ツェナーダイオード２８のツェナー電圧を５Ｖ、抵抗２９を４７０ｋΩ、コンデンサ３０の容量を３３０μＦ、抵抗Ｒａを１００Ω、そして抵抗Ｒｂを１００Ωに設定すると、外部操作スイッチ３２をＯＦＦ状態にした後、トランジスタ３４がＯＮ状態にならなければ、コンデンサ３０の端子間電圧がトランジスタ３１のスレッシュホールド電圧に達するまでに７９秒程度の時間を要するが、トランジスタ３４がＯＮ状態になればコンデンサ３０の端子間電圧は、ほぼ０．０３秒以内でトランジスタ３１のスレッシュホールド電圧に達する。
　【００３７】
　以上、好ましい実施例を挙げて本発明を説明したが、本発明はそれらの実施例に限定されるものではなく、特許請求の範囲に記載した技術的範囲内で種々に改変できる。例えば、プリンタ機構部３に対して実行すべき後処理は、印字ヘッドに対するホームポジションへの復帰動作に限定されるものではなく、その他の各種機器に対する初期化動作等とすることもできる。
　【００３８】
　【発明の効果】
　本発明のインクジェットプリンタによれば、後処理動作の実行によりプリンタの損傷を確実に防止でき、しかも電力供給を停止することにより電力消費量の低減及びオペレータにとっての安全性の確保を実現できる。
　【００３９】
　さらに、本発明のインクジェットプリンタによれば、抵抗やコンデンサ等によって形成される遅延回路だけを用いる場合に比べて、無駄な遅延時間を生じることなく電力供給を停止することが可能となる。
【図面の簡単な説明】
　【図１】本発明に係るインクジェットプリンタの一実施例を示す回路図である。
　【図２】図１の要部を模式的に示す図である。
　【図３】図１の回路図の主要部の動作を示すタイミングチャートである。
　【図４】本発明に係るインクジェットプリンタの他の実施例を示す回路図である。
　【図５】図４の要部を模式的に示す図である。
　【図６】図４の回路図の主要部の動作を示すタイミングチャートである。
　【符号の説明】
　１　電源部
　３　プリンタ制御部
　５　プリンタ機構部
　７　印字ヘッド
　８ａ、８ｂ　プーリ
　９　タイミングベルト
　１０　モータ
　１２　プリント用紙
　１３　ダイオードブリッジ
　１４、２２、２７、３０　コンデンサ
　１６　商用電源
　１７　変圧器
　１８　スイッチングトランジスタ
　１９ａ、１９ｂ、１９ｃ、１９ｄ　巻線
　２０　駆動回路
　２１、２６　ダイオード
　２３、２８　ツェナーダイオード
　２４、３１　電界効果トランジスタ
　３２　外部操作スイッチ
　３４　トランジスタ